(57)【要約】【課題】浴室内に排水される滞留水が利用者にかかるのを抑制できるミスト装置を提供することを目的とする。【解決手段】ミスト装置１００は、浴室Ｙ内に液体を噴霧するミスト運転の開始を利用者から受け付ける受付部１９と、浴室Ｙ内に液体を噴霧するノズル部２１と、浴室Ｙ内に噴霧する液体を加熱する熱源機１と、浴室Ｙ内に風を送り出す循環ファン９４と、角度を変更することで、循環ファン９４から送り出される風の送風方向を変更する変更可動ルーバ９７と、浴室Ｙ内での利用者の存在位置を検出する人検出部１０１と、受付部１９がミスト運転の開始を受け付けると、ミスト運転を開始した直後の初期運転において、人検出部１０１が検出した利用者の存在位置への液体の噴霧を阻止するように変更可動ルーバ９７の角度を制御し、ノズル部２１からの液体の噴霧を開始させるミスト制御部とを備える。【選択図】図１
2019152399.tif 000002
【特許請求の範囲】
【請求項１】
浴室内に液体を噴霧するミスト運転の開始を利用者から受け付ける受付部と、
前記浴室内に液体を噴霧する少なくとも１のノズル部と、
前記浴室内に噴霧する液体を加熱する加熱部と、
前記浴室内に風を送り出す送風ファンと、
角度を変更することで、前記送風ファンから送り出される風の送風方向を変更する風向変更部と、
前記浴室内での利用者の存在位置を検出する人検出部と、
前記受付部が前記ミスト運転の開始を受け付けると、前記ミスト運転を開始した直後の初期運転において、前記人検出部が検出した利用者の存在位置への液体の噴霧を阻止するように前記風向変更部の角度を制御し、前記ノズル部からの液体の噴霧を開始させるミスト制御部と、
を備える、ミスト装置。
【請求項２】
前記ミスト制御部は、前記初期運転において、前記ノズル部からの液体の噴霧方向に対して、前記送風ファンからの風の送風方向を交差させるように前記風向変更部の角度を制御する、請求項１に記載のミスト装置。
【請求項３】
前記ミスト制御部は、前記初期運転において、前記人検出部が検出した利用者の存在位置への液体の噴霧を、前記風向変更部により阻止するように、前記ノズル部からの液体の噴霧方向に対して前記風向変更部を交差させる、請求項１に記載のミスト装置。
【請求項４】
前記ミスト制御部は、前記初期運転において、前記液体が噴霧される噴霧範囲のうち、前記浴室内の利用者の存在位置に近接する液体の噴霧を、前記風向変更部により阻止するように前記風向変更部の角度を制御する、請求項１〜３のいずれか１項に記載のミスト装置。
【請求項５】
前記ミスト制御部は、前記初期運転において、前記ノズル部から噴霧する液体の噴霧量を最大近傍から最大までの上限範囲内のいずれかに調整する、請求項１〜４のいずれか１項に記載のミスト装置。
【請求項６】
前記ノズル部から噴霧される液体の温度を測定する温度測定部を備え、
前記ミスト制御部は、前記初期運転において、前記温度測定部が測定した前記液体の温度が所定値以上になると、前記ノズル部からの液体の噴霧量を前記受付部で利用者から受け付けた噴霧量に制御する、請求項５に記載のミスト装置。
【請求項７】
前記ノズル部から噴霧される液体の温度を測定する温度測定部を備え、
前記ミスト制御部は、前記初期運転において、前記温度測定部が測定した前記液体の温度が所定値以上になると、前記風向変更部の角度を前記受付部で利用者から受け付けた角度に制御する、請求項１〜５のいずれか１項に記載のミスト装置。
【請求項８】
前記初期運転において、前記温度測定部が測定した前記液体の温度が所定値以上になると、報知する報知部を備える、請求項６又は７に記載のミスト装置。
【請求項９】
前記ミスト制御部は、前記初期運転において、前記液体の噴霧方向が、前記人検出部が検出した利用者の存在位置とは異なる方向となるように、前記送風ファンから送り出される風の風量を調整する、請求項１〜８のいずれか１項に記載のミスト装置。
【発明の詳細な説明】
【技術分野】
【０００１】
本発明は、ミストを噴霧するミスト装置に関する。
【背景技術】
【０００２】
特許文献１には、配管及び熱交換器等に滞留した滞留水には菌が発生している可能性があるため、このような滞留水を排水するミスト装置が開示されている。特許文献１のミスト装置では、排水制御部が設けられており、排水制御部は、操作リモコンにミスト運転の開始が入力されてからミスト用水の利用開始条件を満足するまで、滞留水をノズル部から排出させる。
そして、排水制御部は、浴室内に利用者が存在することが検知されると、滞留水の排水を停止させる。これにより、利用者が、冷たい滞留水を浴びて不快感を抱くことを阻止できる。
【先行技術文献】
【特許文献】
【０００３】
【特許文献１】特開２０１７−１６４３８１号公報
【発明の概要】
【発明が解決しようとする課題】
【０００４】
しかし、特許文献１のミスト装置では、利用者が浴室内に入った場合に、ノズル部からの滞留水の排水が停止されてしまうため、滞留水の排水を完了することができない。よって、滞留水を排水しつつも、浴室内の利用者に滞留水がかからない技術が望まれている。
【０００５】
そこで、本発明は上述の課題に鑑みてなされたものであり、浴室内に排水される滞留水が利用者にかかるのを抑制できるミスト装置を提供することを目的とする。
【課題を解決するための手段】
【０００６】
本発明に係るミスト装置の特徴構成は、
浴室内に液体を噴霧するミスト運転の開始を利用者から受け付ける受付部と、
前記浴室内に液体を噴霧する少なくとも１のノズル部と、
前記浴室内に噴霧する液体を加熱する加熱部と、
前記浴室内に風を送り出す送風ファンと、
角度を変更することで、前記送風ファンから送り出される風の送風方向を変更する風向変更部と、
前記浴室内での利用者の存在位置を検出する人検出部と、
前記受付部が前記ミスト運転の開始を受け付けると、前記ミスト運転を開始した直後の初期運転において、前記人検出部が検出した利用者の存在位置への液体の噴霧を、前記風向変更部により阻止するように前記風向変更部の角度を制御し、前記ノズル部からの液体の噴霧を開始させるミスト制御部と、
を備える点にある。
【０００７】
本特徴構成によれば、ミスト運転を開始した直後の初期運転において、ミスト制御部は、利用者の存在位置への液体の噴霧を阻止するように風向変更部の角度を制御する。よって、配管内等に滞留している液体である加温されていない冷たい滞留水が、浴室内の利用者にかかるのを抑制し、ミストの利用者が感じる不快感を抑制できる。
【０００８】
本発明に係るミスト装置の更なる特徴構成は、
前記ミスト制御部は、前記初期運転において、前記ノズル部からの液体の噴霧方向に対して、前記送風ファンからの風の送風方向を交差させるように前記風向変更部の角度を制御する点にある。
【０００９】
本特徴構成によれば、液体の噴霧方向に対して送風ファンからの風の送風方向を交差させることで、利用者の存在位置への液体の噴霧が阻止される。これにより、初期運転において、滞留水が浴室内の利用者にかかるのを抑制できる。
【００１０】
本発明に係るミスト装置の更なる特徴構成は、
前記ミスト制御部は、前記初期運転において、前記人検出部が検出した利用者の存在位置への液体の噴霧を、前記風向変更部により阻止するように、前記ノズル部からの液体の噴霧方向に対して前記風向変更部を交差させる点にある。
【００１１】
本特徴構成によれば、液体の噴霧方向に対して風向変更部を交差させることで、利用者の存在位置への液体の噴霧が風向変更部によって阻止される。これにより、初期運転において、滞留水が浴室内の利用者にかかるのを抑制できる。
【００１２】
本発明に係るミスト装置の更なる特徴構成は、
前記ミスト制御部は、前記初期運転において、前記液体が噴霧される噴霧範囲のうち、前記浴室内の利用者の存在位置に近接する液体の噴霧を、前記風向変更部により阻止するように前記風向変更部の角度を制御する点にある。
【００１３】
ミスト装置において液体は噴霧範囲を有して利用者に供給されるが、本特徴構成によれば、ミスト制御部は、液体の噴霧範囲のうち利用者に最も近接する液体の噴霧を風向変更部により阻止するように制御する。つまり、利用者に近接しないで噴霧される液体はそのまま浴室内に供給され、利用者に近接して噴霧される液体は、角度が制御された風向変更部により利用者にかからないように浴室に供給される。これにより、初期運転において、滞留水が浴室内の利用者にかかるのを抑制できる。
【００１４】
本発明に係るミスト装置の更なる特徴構成は、
前記ミスト制御部は、前記初期運転において、前記ノズル部から噴霧する液体の噴霧量を最大近傍から最大までの上限範囲内のいずれかに調整する点にある。
【００１５】
本特徴構成によれば、初期運転において、ミスト制御部は、利用者の存在位置への液体の噴霧を阻止した上で、ノズル部からの液体の噴霧量を上限範囲内に調整する。これにより、初期運転において、滞留水のノズル部からの排出を早めることができる。よって、ミストの利用者は、ミスト装置において温められたミストを早期に利用することができる。
【００１６】
本発明に係るミスト装置の更なる特徴構成は、
前記ノズル部から噴霧される液体の温度を測定する温度測定部を備え、
前記ミスト制御部は、前記初期運転において、前記温度測定部が測定した前記液体の温度が所定値以上になると、前記ノズル部からの液体の噴霧量を前記受付部で利用者から受け付けた噴霧量に制御する点にある。
【００１７】
滞留水の排出が完了すると、ノズル部からは、ミスト装置によって温められた所定値以上の温度のミストが噴霧される。つまり、ミスト制御部は、液体の温度が所定値以上となることをもって滞留水の排出が完了したことを判断できる。本特徴構成によれば、ミスト制御部は、液体の温度が所定値以上になると、利用者から受け付けた噴霧量でノズル部からミストを噴霧させるため、利用者に所望の噴霧量でミストを提供できる。
【００１８】
本発明に係るミスト装置の更なる特徴構成は、
前記ノズル部から噴霧される液体の温度を測定する温度測定部を備え、
前記ミスト制御部は、前記初期運転において、前記温度測定部が測定した前記液体の温度が所定値以上になると、前記風向変更部の角度を前記受付部で利用者から受け付けた角度に制御する点にある。
【００１９】
本特徴構成によれば、ミスト制御部は、液体の温度が所定値以上となると、風向変更部の角度を利用者から受け付けた角度に戻すため、利用者に所望の角度でミストを提供できる。
【００２０】
本発明に係るミスト装置の更なる特徴構成は、
前記初期運転において、前記温度測定部が測定した前記液体の温度が所定値以上になると、報知する報知部を備える点にある。
【００２１】
本特徴構成によれば、液体の温度が所定値以上になると利用者に報知されるため、利用者は、滞留水の排出が終わり、ミストを快適に利用できるようになったことを把握できる。
【００２２】
本発明に係るミスト装置の更なる特徴構成は、
前記ミスト制御部は、前記初期運転において、前記液体の噴霧方向が、前記人検出部が検出した利用者の存在位置とは異なる方向となるように、前記送風ファンから送り出される風の風量を調整する点にある。
【００２３】
本特徴構成によれば、ミスト制御部は、利用者の存在位置への液体の噴霧を阻止するように風向変更部の角度を制御するとともに、液体の噴霧方向が利用者の存在位置とは異なる方向となるように送風ファンから送り出される風の風量を調整する。例えば、ミスト制御部が、液体の噴霧方向が利用者の存在位置とは異なる方向への風の風量を大きくすることで、初期運転において噴霧される滞留水を浴室内の利用者から遠ざけることができる。
【図面の簡単な説明】
【００２４】
【図１】ミスト装置の構成を示す模式図である。
【図２】複数のノズル部の配列を浴室内から見た場合のレイアウト図である。
【図３】ミスト装置の制御部の構成を示すブロック図である。
【図４】初期運転における滞留水の噴霧制御の概要を示す模式図である。
【図５】初期運転における滞留水の噴霧制御の概要を示す模式図である。
【図６】利用者の存在位置と滞留水の噴霧範囲との関係を示す模式図である。
【図７】利用者の存在位置と滞留水の噴霧範囲との関係を示す模式図である。
【図８】利用者の存在位置と滞留水の噴霧範囲との関係を示す模式図である。
【図９】利用者の存在位置と、ルーバ角度と、循環ファンからの風の風量レベルとの関係を示すテーブルである。
【図１０】初期運転における滞留水の噴霧制御の流れを示すフローチャートの一例である。
【図１１】ミスト装置の他の構成を示す模式図である。
【図１２】初期運転における滞留水の噴霧制御の概要を示す模式図である。
【図１３】初期運転における滞留水の噴霧制御の概要を示す模式図である。
【図１４】ミスト装置の他の構成における、初期運転における滞留水の噴霧制御の概要を示す模式図である。
【図１５】ミスト装置の他の構成における、初期運転における滞留水の噴霧制御の概要を示す模式図である。
【発明を実施するための形態】
【００２５】
〔実施形態〕
以下に、本発明の実施形態に係るミスト装置１００について説明する。ミスト装置１００は、利用者である入浴者が浴室で手軽にミストサウナ入浴を楽しむことができるように構成される。
ミスト装置１００の利用を開始する前には、ミスト装置１００内の配管等に冷めた滞留水が溜まっており、ミスト運転を開始した場合にこの滞留水が浴室Ｙ内に噴霧される。すると、利用者に冷たい滞留水がかかり、利用者に不快感を与える。そこで、本発明の実施形態に係るミスト装置１００では、利用開始時に噴霧される滞留水が、浴室Ｙ内の利用者にかかるのを抑制する制御が行われる。
【００２６】
以下の図１等では、所謂、「給湯直結方式」であって、浴室Ｙの天井裏に設置する「天井設置型」のミスト装置１００を例に挙げて説明する。「給湯直結方式」は、熱源機（加熱部）１で加熱した温水を当該温水の供給圧力を利用してそのままノズルユニット２からミスト状に噴霧するミスト運転を行う方式である。この給湯直結式のミスト装置１００は、温水循環式のミスト装置に比べて、給湯水を直接利用できるため、ミスト噴出量が多く、浴室Ｙの加温効果も期待できるものである。
なお、浴室Ｙとは、ミストが噴霧された状態でのミストサウナ入浴を楽しめる空間の一例である。そして、浴室Ｙには、入浴するための浴槽６６が設けられた上側の浴槽空間Ｙａと、浴槽６６に隣接して利用者が体等を洗うための洗い場空間Ｙｂとが備えられている。
【００２７】
図１に示すように、ミスト装置１００は、水を加熱して温水を生成する熱源機１と、熱源機１からの温水を温水路８２及びノズル供給路３を介して供給を受け、複数のノズル部２１からミストを噴霧するミスト部９０と、ミスト運転の際に浴室Ｙ内の利用者の存在位置を取得する人検出部１０１とを備えている。以下では、ミスト運転の開始時に熱交換器及び配管等に滞留している水を滞留水と称し、滞留水が排出された後、利用者に噴霧される適温の水をミスト用水と称する。滞留水は、例えば、前回のミスト運転の終了後に、熱交換器及び配管等から排出されずに滞留している水である。
【００２８】
なお、本実施形態に係るミスト装置１００は、給湯機能も有しており、給湯部８９を備えている。つまり、ミスト装置１００は、熱源機１からの温水が供給される、後述の浴槽６６、シャワー５８、カラン５６等の給湯部８９を備えている。また、ミスト装置１００は、ミスト装置１００への操作を利用者から受け付ける受付部１９、熱源機１、ミスト部９０、給湯部８９及び人検出部１０１等の動作を制御する制御部１１を備えている。以下に、各部の構成について説明する。
【００２９】
（１）ミスト部９０
図１に示すように、ミスト部９０は、浴室Ｙの天井Ｙｃの裏側に設置される本体ケーシング９１ａと、浴室Ｙの天井Ｙｃの表側に設置されるグリル板９１ｂとを備えている。ミスト部９０は、これら本体ケーシング９１ａとグリル板９１ｂとからなる筐体内に、浴室Ｙ内へのミスト用水の噴霧及び浴室Ｙ内の暖房運転等を行う各種部材を備えている。
【００３０】
ミスト部９０は、図１及び図２に示すように、グリル板９１ｂと一体に形成された平板状の支持板２８に支持されたノズルユニット２を備えている。ノズルユニット２は、浴室Ｙ内に向かってミスト用水を噴霧する噴霧手段として複数のノズル部２１を有している。よって、ノズルユニット２が有する複数のノズル部２１が、支持板２８により天井Ｙｃに支持されている。複数のノズル部２１は、例えば、天井Ｙｃ側の支持板２８から浴室Ｙ内に向けて先端が突出した状態で設けられている。
【００３１】
より具体的には、本実施形態では、複数のノズル部２１を備えるノズルユニット２は、図１に示すように、例えば、浴槽空間Ｙａと洗い場空間Ｙｂとの境目近傍において、天井Ｙｃから突出するように設けられている。そして、ノズル部２１は、浴槽空間Ｙａと洗い場空間Ｙｂとの間の天井Ｙｃから、洗い場空間Ｙｂに向けて先端が傾斜して突出している。つまり、ノズル部２１からのミスト用水の噴霧方向は、浴槽空間Ｙａと洗い場空間Ｙｂとの間から、洗い場空間Ｙｂに向かう方向である。
【００３２】
ノズルユニット２には後述のノズル供給路３が接続されており、熱源機１の後述の第一燃焼器４２によって加熱された温水が、温水路８２を介してノズル供給路３に供給される。これにより、ノズルユニット２のノズル部２１からミスト用水である温水が浴室Ｙ内に向けてミストとして噴霧されるミスト運転が行われる。
ノズル部２１は、噴霧する場合に、ミスト用水の圧力でミスト用水を噴霧する。つまり、ノズル部２１は、所謂、一流体ノズルである。
【００３３】
複数のノズル部２１は、例えば図２に示すように配置されている。つまり、本実施形態では、例えば、浴室Ｙの側から見た場合、ノズル部２１が一定間隔で直線状に２列配列され、１列に１３個配列されている。そして、ノズル部２１は、ミスト用水を噴霧する噴霧孔としてノズル口（図示せず）を備えている。例えば、一のノズル部２１は、一のノズル口を備えていてもよいし、複数のノズル口を備えていてもよい。
【００３４】
ノズル供給路３についてさらに説明する。ノズル供給路３は、温水路８２に連通接続され、温水路８２とノズル部２１とを連通し、温水がミスト用水として流通する管である。
ノズル供給路３には、ノズル供給路３を通流する温水の圧力を検知する圧力検知部８６と、圧力検知部８６の上流の噴霧流量調節弁１０とが設けられている。
【００３５】
噴霧流量調節弁１０は、ノズル供給路３を流れるミスト用水の通流と停止を制御する弁部材である。噴霧流量調節弁１０としては、例えば開閉自在の開閉弁が用いることができる。また、噴霧流量調節弁１０としては、開閉のみならず、例えば流路面積の変更動作（開度調整）が自在の弁部材、すなわち流量調整弁が用いられる場合もある。
噴霧流量調節弁１０が、ノーマルクローズタイプの開閉弁であると、停電時などは閉状態となるため好ましい。
【００３６】
本実施形態での噴霧流量調節弁１０は、例えば、後述のミスト制御部１３により通流と停止が制御される開閉弁である。そして、噴霧流量調節弁１０は、通常は閉弁状態にあり、開弁指令を受けた場合に所定の開度で開状態となる、ノーマルクローズタイプの流量調整弁である。よって、ミスト制御部１３の制御によって、ノズル供給路３を流れるミスト用水の通流量を所定の流量に調節可能である。
【００３７】
噴霧流量調節弁１０が流量調整弁である場合、ノズル供給路３を通流する温水の単位時間当たりの流量（例えば１分間）の調節が可能である。例えば、ノズル供給路３を通流する温水の流量が過大であるために、ノズルユニット２からの噴霧量が過大となる場合には、ミスト制御部１３は噴霧流量調節弁１０を制御し、ノズル供給路３を通流する温水の流量を制限する。
このような噴霧流量調節弁１０としては、ノズル供給路３を流れるミスト用水が所望の流量に調節できるように、流路面積をリニアに変更可能なリニア弁が好適である。
そして、噴霧流量調節弁１０の上流には、温度センサ８８が設けられている。この温度センサ８８により検出された温度が、ノズル部２１から噴霧されるミスト用水の温度である。
【００３８】
また、ミスト部９０は、浴室Ｙの暖房装置として、暖房運転を行う循環部７０を備えている。循環部７０は、浴室Ｙ内から内気を吸引するとともに、熱源機１の後述の第二燃焼器４５によって加熱供給される熱媒により当該内気を加温して温風として浴室Ｙ内に戻す暖房運転を行う浴室Ｙの暖房装置である。
循環部７０は、循環ファン９４と、空気加熱用熱交換器９５と、換気ファン９６と、変更可動ルーバ（風向変更部）９７を有する。
【００３９】
循環ファン９４は、グリル板９１に形成された吸引口９２を通して浴室Ｙ内の空気（内気）を吸引し、吸引した空気を浴室Ｙ内に向けて送風路９３を通して噴き出す送風・循環手段である。循環ファン９４は、空気を送風路９３を介して変更可動ルーバ９７へ供給する。循環ファン９４としては、例えばシロッコファンを用いることができる。
【００４０】
変更可動ルーバ９７は、送風路９３から連続して天井Ｙｃに設けられた開口に備えられており、送風路９３から供給される空気（温風）の浴室Ｙ内への吹き出し方向を変更可能な部材である。変更可動ルーバ９７は、所定の支点を中心として回動可能に構成されている。変更可動ルーバ９７は、その回動角度を変更することで、送風路９３から供給される空気の吹出方向を適宜変更して、浴室Ｙ内に向けて吹き出す。変更可動ルーバ９７は、本実施形態では、例えば、板状部材から構成されている。そして、変更可動ルーバ９７は、未使用時には天井Ｙｃの開口に収納されており、使用時には図１等に示すように天井Ｙｃの開口からせり出し可能に構成されている。
ただし、変更可動ルーバ９７は、浴室Ｙ内への空気の吹き出し方向を変更可能であれば、板状部材に限定されず、例えば、回動可能であり内部を空気が通過可能な筒状部材であってもよい。筒状部材からなる変更可動ルーバ９７は、例えば、断面コの字状であり、複数のノズル部２１が配置されている方向に沿って延びていてもよい。
【００４１】
本実施形態では、前述の通り、ノズルユニット２は、図１に示すように、例えば、浴槽空間Ｙａと洗い場空間Ｙｂとの間において、天井Ｙｃから洗い場空間Ｙｂに向けて先端が突出している。また、変更可動ルーバ９７は、図１及び図２に示すように、ノズルユニット２よりも洗い場空間Ｙｂ側において、ノズルユニット２に隣接するように設けられている。そして、変更可動ルーバ９７は、ノズルユニット２の複数のノズル部２１が直線状に並ぶ方向に対して平行に設けられている。
【００４２】
このように、ノズルユニット２が、変更可動ルーバ９７の隣に、変更可動ルーバ９７に対して平行に設けられることで、ノズルユニット２から噴霧されたミストは、変更可動ルーバ９７から吹出す空気の随伴流に誘引される。よって、ノズルユニット２から噴霧されたミストは、変更可動ルーバ９７から吹出す空気（温風）と効率よく接触することができる。例えば、ミスト運転が実行されている場合において、さらに暖房運転を実行する場合に、ノズルユニット２から噴霧されたミストと変更可動ルーバ９７から吹出す空気（温風）とが熱交換されて入浴者の好みに応じた浴室環境の調整を可能となる。これにより、例えば、入浴者が肌寒く感じる場合を回避し、入浴感を向上させる場合があるため好ましい。
【００４３】
そして、変更可動ルーバ９７は、後で詳述するが、ノズルユニット２側に回動された場合に、ノズルユニット２のノズル部２１のノズル口の少なくとも一部を覆うことが可能な大きさに構成されていると好ましい。
【００４４】
空気加熱用熱交換器９５は、循環ファン９４にて通風される空気を加熱する空気加熱手段としての熱交換器である。
【００４５】
換気ファン９６は、吸引口９２を通して浴室Ｙ内の空気（内気）を吸引し、外部に排出する送風および換気手段である。例えば、シロッコファンを用いることができる。
【００４６】
（２）給湯部８９
ミスト装置１００は、浴室Ｙ内で温水を放出（使用）する給湯運転を行う浴室設備である給湯部８９を備えている。本実施形態では、給湯部８９として、例えば湯張り部６５及び蛇口部５５が備えられている。
【００４７】
蛇口部５５は、シャワー５８や通常の給湯等を行う給湯口であるカラン５６を有し、給水路８１から分岐する蛇口水路５７を介してカラン５６に熱源機１で生成された温水を供給する給湯運転を行う。
【００４８】
湯張り部６５は、浴槽６６に湯張り給湯を行う給湯口である風呂アダプタ６７を有している。湯張り部６５は、温水路８２から分岐する湯張り水路６８を介して、風呂アダプタ６７に熱源機１で生成された温水を供給する給湯運転を行う。
【００４９】
ミスト装置１００は「給湯直結方式」であり、熱源機１で加熱された温水は、ノズル供給路３を介してミスト部９０のノズルユニット２に供給されるともに、蛇口部５５の蛇口水路５７及び湯張り部６５の湯張り水路６８を含む給湯部８９に供給される。
なお、ミスト用水を供給するノズル供給路３と、蛇口水路５７及び湯張り水路６８等の給湯水路とは一連の水路であってもよいし、それぞれ独立に設けられていてもよい。
【００５０】
（３）熱源機１
熱源機１は、第一熱交換機構３１と第二熱交換機構３２とを備えている。
第一熱交換機構３１は、第一熱交換部４１と第一燃焼器４２と第一比例弁４３とを有する。第一熱交換部４１の入口には給水路８１が接続され、出口には温水路８２が接続されている。第一熱交換部４１は、給水路８１から供給された水を加熱して温水を生成する。生成された温水は温水路８２に供給される。生成された温水は、ノズルユニット２からの噴霧（ミスト運転）、蛇口部５５や湯張り部６５からの供給（給湯運転）のために使用される。
【００５１】
ミスト運転が開始された場合、流量検知部８４が検出した給水路８１の流量が所定の流量に達すると、熱源制御部１６（図３）は、第一燃焼器４２に着火（運転開始）を指令する。第一燃焼器４２は、当該指令により運転を開始する。すなわち、第一比例弁４３、及び開閉弁４７が開弁され、熱源機１に燃料（例えばガス）が供給される。これにより第一燃焼器４２が運転を開始し、給水路８１を流通する水が第一熱交換部４１において加温され、温水路８２に供給される。このように加温されたミスト用の温水が、上述したノズル供給路３を流通する。
なお、第一熱交換部４１により加温された水の温度は温水路８２に設けられた温度センサ８３により検出される。
【００５２】
給湯運転が開始された場合、蛇口部５５に連通する蛇口水路５７及び湯張り部６５に連通する湯張り水路６８の少なくともいずれかが開放され、流量検知部８４によって検出される給水路８１を流通する流量が所定の流量に達すると、熱源制御部１６は、第一燃焼器４２に着火（運転開始）を指令する。この指令により、第一比例弁４３及び開閉弁４７が開弁され、熱源機１に燃料（例えばガス）が供給される。これにより第一燃焼器４２が運転を開始し、給水路８１を流通する湯張り用水が第一熱交換部４１において加温され、温水路８２に供給される。このように加温された給湯用の温水が、蛇口水路５７を介して蛇口部５５から供給され、また湯張り水路６８及び風呂アダプタ６７を介して浴槽６６に供給される。
【００５３】
第二熱交換機構３２は、第二熱交換部４４と第二燃焼器４５と第二比例弁４６とを有する。第二熱交換部４４は、熱媒循環路５１を流通する熱媒を加熱する。加熱された熱媒は、空気加熱用熱交換器９５による暖房運転を行う場合に使用される。
【００５４】
空気加熱用熱交換器９５による暖房運転が開始されると、熱媒循環路５１における熱媒の流通を制御する制御弁５２を開状態とし、ポンプＰにより熱媒循環路５１内の熱媒を循環させた状態で第二比例弁４６を開弁し、第二燃焼器４５にガスを供給する。これより、第二燃焼器４５が点火して運転を開始し、熱媒循環路５１を流通する熱媒が第二熱交換部４４において加温される。
このように加温された熱媒が、空気加熱用熱交換器９５に供給される。その後、循環ファン９４が動作されて、吸引口９２を通して浴室Ｙ内の空気を吸引し、吸引した空気が空気加熱用熱交換器９５によって加熱された後に浴室Ｙ内に向けて吹き出される。
【００５５】
（４）受付部１９
受付部１９は、ミスト装置１００への操作を利用者から受け付ける。受付部１９は、例えば、浴室Ｙの外部に設けられており、リモコン等により構成されている。受付部１９は、少なくとも利用者がミスト運転の開始や停止を指示できる開始ボタン及び停止ボタンを有している。また、受付部１９は、ミスト運転でのミストの噴霧量、ミストの温度、空気加熱用熱交換器９５での空気の加熱温度、及び、変更可動ルーバ９７の方向等を受け付け可能な操作部を有していると好ましい。
その他、受付部１９は、蛇口部５５及び湯張り部６５等における給湯温度を設定できる操作部が設けられていてもよい。
【００５６】
（５）人検出部１０１
人検出部１０１は、受付部１９がミスト運転の開始を受け付けると、後述のミスト制御部１３からの指示に基づいて、浴室Ｙ内における利用者の存在位置を取得する。なお、人検出部１０１は、浴室Ｙ内の利用者の存在の有無を検出した後、利用者の存在が検出された場合に利用者の存在位置を取得してもよい。人検出部１０１は、これに限定されないが、例えば図１に示すように浴室Ｙ内の天井Ｙｃに設けられている。
人検出部１０１は、例えば、浴室Ｙ内の空間座標に基づいて、利用者の浴室Ｙ内での存在位置を座標の集合として取得する。人検出部１０１としては、例えば、人感センサが挙げられる。また、人検出部１０１は、浴室Ｙ内での利用者の画像を存在位置として取得してもよい。この場合、人検出部１０１としては、例えばビデオカメラ等の画像取得手段が挙げられる。
【００５７】
（６）制御部１１
制御部１１は、図３に示すように、ミスト運転を開始した直後の初期運転においてノズルから噴霧される滞留水が利用者へかかるのを抑制するように滞留水の噴霧制御を行うミスト制御部１３と、ミスト制御部１３が行う滞留水の噴霧制御が定義されたテーブルを記憶する記憶部１４と、滞留水のノズル部２１からの噴霧が完了したことを報知する報知部１５と、熱源機１を制御するための熱源制御部１６とを備えている。
【００５８】
ここで、熱交換器及び配管等に滞留している滞留水は、ミスト運転終了後に配管及び熱交換器等に滞留して、温水の状態から時間が経過することにより水温が低下している。また、滞留水は、配管等に滞留することで細菌等が発生している可能性がある。ミスト運転を開始した直後の初期運転においては、この滞留水がノズル部２１から噴霧される。よって、利用者に冷たい滞留水がかかり、利用者に不快感を与える。また、滞留水に細菌等が発生している場合には、利用者の健康を阻害する。
図１等の場合、例えば、給水路８１、第一熱交換部４１、温水路８２、ノズル供給路３、噴霧流量調節弁１０、圧力検知部８６及びノズルユニット２等に滞留水が滞留する。
そこで、本実施形態の制御部１１では、ミスト運転を開始した直後の初期運転において、ノズル部２１から噴霧される滞留水が利用者にかかるのを抑制するように滞留水の噴霧制御を行う。
【００５９】
（６−１）滞留水の噴霧制御の概要
次に、滞留水の噴霧制御の概要について、図１、図４、図５を用いて説明する。
受付部１９が浴室Ｙの利用者からミスト運転の開始を受け付けると、ミスト制御部１３は、ミスト運転を開始する。そして、ミスト運転を開始した直後の初期運転においては、熱交換器及び配管等に滞留している滞留水がノズル部２１から噴霧される。
【００６０】
図１では、ノズル部２１は、浴槽空間Ｙａと洗い場空間Ｙｂとの間の天井Ｙｃから、洗い場空間Ｙｂに向けて先端が傾斜して突出している。よって、初期運転においては、ノズル部２１からの滞留水の噴霧方向は、浴槽空間Ｙａと洗い場空間Ｙｂとの間から、洗い場空間Ｙｂに向かう方向である。ここで、ノズル部２１からは、例えば図１に示すように、噴霧範囲φａ１（角度範囲φａ１で表される噴霧範囲）を有して水が噴霧される。
【００６１】
そして、図１では、変更可動ルーバ９７は、ノズルユニット２よりも洗い場空間Ｙｂ側において、ノズルユニット２に隣接するように設けられている。また、変更可動ルーバ９７は、ノズル部２１とは反対方向において、天井Ｙｃとルーバ角度θａ１を成して傾斜している。ルーバ角度θａ１は、例えば、少なくとも９０°よりも小さい角度であり、変更可動ルーバ９７は、ノズル部２１から噴霧されている滞留水の噴霧範囲φａ１を遮らない方向に傾斜している。この変更可動ルーバ９７の傾斜方向は、例えば、滞留水の噴霧方向に沿った方向ということもできる。
【００６２】
このような図１における、ノズル部２１からの滞留水の噴霧範囲φａ１と、変更可動ルーバ９７の傾斜方向との関係においては、初期運転において、滞留水が噴霧範囲φａ１を有して洗い場空間Ｙｂに噴霧される。この場合に、洗い場空間Ｙｂにおいて噴霧範囲φａ１内に利用者が存在すると、利用者に滞留水がかかる。よって、利用者に冷たい滞留水がかかり、利用者に不快感を与える。また、滞留水に細菌等が発生している場合には、利用者の健康を阻害する。
【００６３】
そこで、ミスト制御部１３は、図４に示すように、人検出部１０１が取得した浴室Ｙ内における利用者の存在位置に基づいて、変更可動ルーバ９７を回動させる。このとき、ミスト制御部１３は、利用者の存在位置を考慮し、ノズル部２１から噴霧されている滞留水の噴霧範囲φａ１（図１参照）の少なくとも一部を遮るように、変更可動ルーバ９７を回動させる。つまり、ミスト制御部１３は、利用者の存在位置への滞留水の噴霧を阻止するように変更可動ルーバ９７を回動させる。
【００６４】
図４では、変更可動ルーバ９７は、ノズル部２１とは反対方向において、天井Ｙｃとルーバ角度θａ２を成して傾斜している。ルーバ角度θａ２は、例えば、少なくとも９０°よりも大きい角度であり、変更可動ルーバ９７は、滞留水のノズル部２１からの噴霧範囲φａ１（図１参照）の少なくとも一部を遮る方向に傾斜している。この変更可動ルーバ９７の傾斜方向は、例えば、滞留水の噴霧方向と交差する方向ということもできる。
【００６５】
なお、滞留水を排出する場合のルーバ角度の変更可能範囲は、通常のミスト噴霧時のルーバ角度の変更可能範囲よりも大きく設定することが可能である。例えば、通常のミスト噴霧時のルーバ角度は約２０°から約９０°まで変更可能であるのに対して、滞留水を排出する場合のルーバ角度は約１０°から約１７０°まで変更可能に設定されている。
【００６６】
より具体的には、変更可動ルーバ９７は、図４に示すように、ノズルユニット２側に回動された場合に、ノズル部２１の少なくとも一部を覆うことが可能な大きさに構成されている。これにより、ノズル部２１から洗い場空間Ｙｂ側への滞留水の噴霧が、変更可動ルーバ９７によって部分的に遮られる。その結果、図４に示すように、初期運転において、滞留水が噴霧範囲φａ２を有して洗い場空間Ｙｂに噴霧される。このように滞留水の噴霧範囲が、図１の噴霧範囲φａ１から、図４の噴霧範囲φａ２へと小さくなることで、洗い場空間Ｙｂに存在する利用者に滞留水がかかるのを抑制できる。この場合、例えば、滞留水の噴霧範囲が利用者の存在位置に対して約３０〜４０°ずれるように、変更可動ルーバ９７の角度が変更される。
【００６７】
ミスト制御部１３は、初期運転において、図４のように変更可動ルーバ９７を回動させた場合、循環ファン９４の運転を停止してもよい。図４の場合、ミスト制御部１３は、循環ファン９４の運転を停止している。これにより、初期運転において噴霧される滞留水が循環ファン９４からの風によって拡散するのを抑制できる。
逆に、ミスト制御部１３は、図４において、循環ファン９４を駆動し、送風路９３を通して変更可動ルーバ９７の傾斜に沿った空気を吹き出させるようにしてもよい。このような例について図５を用いて説明する。
【００６８】
ミスト制御部１３は、図５に示すように、人検出部１０１が取得した浴室Ｙ内における利用者の存在位置に基づいて、変更可動ルーバ９７を回動させる。図５では、変更可動ルーバ９７は、ノズル部２１とは反対方向において、天井Ｙｃとルーバ角度θａ３を成して傾斜している。ルーバ角度θａ３は、例えば、少なくとも９０°よりも大きい角度であり、変更可動ルーバ９７は、ノズル部２１から噴霧されている滞留水の噴霧範囲φａ１（図１参照）の少なくとも一部を遮る方向に傾斜している。この状態において、ミスト制御部１３は、循環ファン９４を駆動し、送風路９３を通して変更可動ルーバ９７の傾斜に沿った空気を吹き出させる。
【００６９】
これにより、ノズル部２１から洗い場空間Ｙｂ側へ滞留水の噴霧が、変更可動ルーバ９７によって部分的に遮られるとともに、浴槽空間Ｙａ側に流される。その結果、図５に示すように、初期運転において、噴霧範囲φａ３を有する滞留水の少なくとも一部が浴槽空間Ｙａ側に噴霧される。よって、洗い場空間Ｙｂに存在する利用者に滞留水がかかるのを抑制できる。
前述の通り、循環ファン９４を駆動させた場合、送風路９３からの空気の吹き出しによって、滞留水は浴槽空間Ｙａ側に流される。よって、図５に示すルーバ角度θａ３は、図４に示すルーバ角度θａ２よりも小さくてもよい。
【００７０】
（６−２）滞留水の噴霧制御のためのテーブル
本実施形態では、ミスト制御部１３が上記のような滞留水の噴霧制御を行うために、記憶部１４において、滞留水の噴霧制御のためのテーブルを記憶している。このテーブルについて、図６〜図９を用いて以下に説明する。
【００７１】
図６の（ａ）では、利用者の存在位置が領域α１である場合において、変更可動ルーバ９７が洗い場空間Ｙｂ側に傾斜しているとする。領域α１は、例えば、浴槽６６から最も離れた洗い場空間Ｙｂ側である。この場合、変更可動ルーバ９７により滞留水の噴霧範囲β１ａは遮られておらず、領域α１に位置する利用者に滞留水が噴霧される。利用者への滞留水の噴霧を阻止するため、図６の（ｂ）では、変更可動ルーバ９７がルーバ角度θα１に制御されている。そして、ルーバ角度θα１である変更可動ルーバ９７によって、滞留水が噴霧範囲β１ｂに制限されて噴霧されている。よって、利用者が存在している領域α１は噴霧範囲β１ｂの外に位置し、利用者には滞留水がかかっていない。
【００７２】
このとき、滞留水の噴霧範囲β１ｂのうち、少なくとも、利用者の存在位置である領域α１に近接して噴霧される滞留水が、領域α１内に入り込まないように変更可動ルーバ９７のルーバ角度が設定される。このような設定により、初期運転において、配管内等の滞留水が浴室内の人にかかるのを抑制できる。
【００７３】
次に、図７の（ａ）では、利用者の存在位置が領域α２であり、変更可動ルーバ９７のルーバ角度及び噴霧範囲β１ａは図６の（ａ）と同一である。領域α２は、例えば、洗い場空間Ｙｂの中央部である。この場合、変更可動ルーバ９７により滞留水の噴霧範囲β１ａは遮られておらず、領域α２に位置する利用者に滞留水が噴霧される。利用者への滞留水の噴霧を阻止するため、図７の（ｂ）では、変更可動ルーバ９７がルーバ角度θα２に制御されている。そして、ルーバ角度θα２である変更可動ルーバ９７によって、滞留水が噴霧範囲β１ｃに制限されて噴霧されている。よって、利用者が存在している領域α２は噴霧範囲β１ｃの外に位置し、利用者には滞留水がかかっていない。なお、ルーバ角度の設定方法は図６と同様である。
【００７４】
また、図８の（ａ）では、利用者の存在位置が領域α３であり、変更可動ルーバ９７のルーバ角度及び噴霧範囲β１ａは図６の（ａ）と同一である。領域α３は、例えば、洗い場空間Ｙｂにおいて、浴槽６６に最も近接している。この場合、変更可動ルーバ９７により滞留水の噴霧範囲β１ａは遮られておらず、領域α３に位置する利用者に滞留水が噴霧される。利用者への滞留水の噴霧を阻止するため、図８の（ｂ）では、変更可動ルーバ９７がルーバ角度θα３に制御されるとともに、循環ファン９４が例えば風量レベル２で駆動されている。ルーバ角度θα３である変更可動ルーバ９７及び浴槽空間Ｙａ側への風量レベル２の風によって、滞留水が浴槽空間Ｙａ側の噴霧範囲β１ｄに制限されて噴霧されている。よって、利用者が存在している領域α３は噴霧範囲β１ｄの外に位置し、利用者には滞留水がかかっていない。なお、ルーバ角度の設定方法は図６と同様である。
【００７５】
図９には、初期運転において浴室Ｙ内に存在する利用者に滞留水がかからないように噴霧制御する際の利用者の存在位置と、ルーバ角度と、循環ファンからの風の風量レベルとの関係が定義されたテーブルの一例が示されている。図９のテーブルは、これに限定されないが、例えば図６〜図８に基づいて定義されており、例えば図６の（ｂ）に基づいて、利用者の存在位置α１と、滞留水の噴霧範囲を抑制するための変更可動ルーバ９７のルーバ角度θα１と、風量レベル０とが１レコードに記憶されている。なお、図９のテーブルには、ノズル部２１からの滞留水の噴霧量がさらに定義されていてもよい。
【００７６】
（６−３）滞留水の噴霧制御の流れ
次に、制御部１１が行う、初期運転における滞留水の噴霧制御の流れについて、図１０を用いて説明する。
ステップＳ１０：受付部１９が利用者からミスト運転の開始を受け付けると（ステップＳ１０においてＹｅｓ）、熱源制御部１６は熱源機１の運転を制御し、加温されたミスト用水を生成する。受付部１９は、ミスト運転の開始に加えて、ミスト運転でのミストの噴霧量、ミストの温度、空気加熱用熱交換器９５での空気の加熱温度、及び、変更可動ルーバ９７の方向等の設定を利用者から受け付けてもよい。
また、ミスト制御部１３は、ミスト運転を開始した直後の初期運転において、人検出部１０１に浴室Ｙ内での利用者の存在位置を取得するように指示する。
受付部１９がミスト運転の開始を受け付けていない場合（ステップＳ１０においてＮｏ）は、受付部１９はミスト運転が入力されるまで待機する。
【００７７】
ステップＳ１１：人検出部１０１は、浴室Ｙ内での利用者の存在の有無を検出し、浴室Ｙ内に利用者が存在する場合には（ステップＳ１１においてＹｅｓ）、ステップＳ１２に処理を進める。
一方、浴室Ｙ内に利用者が存在しない場合には（ステップＳ１１においてＮｏ）、ミスト制御部１３は、滞留水の噴霧制御を終了する。この場合、ミスト制御部１３は、滞留水が利用者に掛らないようにするための噴霧制御に係る、変更可動ルーバ９７のルーバ角度の制御、噴霧量の制御及び循環ファン９４の制御等を行わない。例えば、ミスト制御部１３は、受付部１９が受け付けた変更可動ルーバ９７のルーバ角度、噴霧量及び循環ファン９４からの風量等に基づいて、滞留水をノズル部２１から噴霧する。利用者が浴室Ｙ内に存在しないため、滞留水が利用者にかかることはない。
【００７８】
ステップＳ１２：人検出部１０１は、浴室Ｙ内の利用者の存在位置を取得し、ミスト制御部１３に出力する。
なお、ステップＳ１１及びＳ１２の処理を一体に行ってもよい。例えば、人検出部１０１は、浴室Ｙ内の利用者の存在位置を取得すると、ミスト制御部１３に出力する。そして、人検出部１０１が浴室Ｙ内の利用者の存在位置が取得できなかった場合は、ミスト制御部１３は滞留水の噴霧制御を終了する。
【００７９】
ステップＳ１３：ミスト制御部１３は、初期運転において、人検出部１０１が取得した浴室Ｙ内における利用者の存在位置に基づいて、変更可動ルーバ９７を制御する。このとき、ミスト制御部１３は、記憶部１４に記憶された図９に例示するテーブルを参照して変更可動ルーバ９７を制御する。
例えば、ミスト制御部１３は、利用者の浴室Ｙ内での存在位置としてα２を取得した場合、図９のテーブルを参照し、変更可動ルーバ９７をルーバ角度θα２に制御する。
さらに、ミスト制御部１３は、変更可動ルーバ９７のルーバ角度の制御に加えて、循環ファン９４を駆動させてもよい。これにより、ルーバ角度が制御された変更可動ルーバ９７に沿って、送風路９３から空気が吹き出される。
【００８０】
ステップＳ１４：ミスト制御部１３は、変更可動ルーバ９７を制御した後、滞留水をノズル部２１から噴霧する。ステップＳ１３において、変更可動ルーバ９７は、滞留水が利用者にかからないルーバ角度に制御されるため、初期運転において、浴室Ｙに存在する利用者に滞留水がかかるのが抑制される。
ミスト制御部１３が、変更可動ルーバ９７の制御に加えて循環ファン９４から風を吹き出すように制御した場合には、滞留水の噴霧方向が浴室Ｙに存在する利用者からさらに遠ざかる。よって、初期運転において、利用者に滞留水がかかるのをさらに抑制できる。
【００８１】
ここで、ミスト制御部１３は、ノズル部２１からの滞留水の噴霧量を、最大近傍から最大までの上限範囲内のいずれかに調整してもよい。例えば、滞留水の噴霧量は、最大噴霧量の８０％〜１００％の範囲のいずれかに調整可能である。ミスト制御部１３は、噴霧流量調節弁１０の開度を制御することで、滞留水の噴霧量を制御可能である。このように滞留水の噴霧量を大きくすることで、配管内等の滞留水のノズル部２１からの排出を早めることができる。よって、ミストの利用者は、ミスト装置１００において温められたミストを早期に利用することができる。
【００８２】
ステップＳ１５：ミスト制御部１３は、温度センサ８８からミスト用水の温度を取得しており、ミスト用水の温度が所定値以上となった場合（ステップＳ１５においてＹｅｓ）は、ステップＳ１６に処理を進める。一方、ミスト制御部１３は、ミスト用水の温度が所定値未満の場合（ステップＳ１５においてＮｏ）は、ミスト用水の温度が所定値以上となるまで待機し、滞留水の噴霧を継続する。なお、所定値とは、例えばミストの利用者が快適に感じる温度であり、例えば２８℃である。
【００８３】
ここで、ミスト制御部１３は、ミスト用水の温度が所定値以上となると、報知部１５にその旨を出力してもよい。そして、報知部１５が、スピーカ（図示せず）及び表示装置（図示せず）を介して、ミスト用水の温度が所定値以上となったことを利用者に報知するようにしてもよい。このようにミストの温度が所定値以上になると利用者に報知されるため、利用者は、滞留水の排出が終わり、ミストを快適に利用できるようになったことを把握できる。
【００８４】
ステップＳ１６：ミスト制御部１３は、ミストの温度が所定値以上になると、受付部１９において変更可動ルーバ９７のルーバ角度の設定を受け付けている場合は、それに基づいて変更可動ルーバ９７を制御する。これにより、利用者に所望のルーバ角度でミストを提供できる。
その他、受付部１９において、ミスト運転でのミストの噴霧量、ミストの温度、空気加熱用熱交換器９５での空気の加熱温度等を受け付けている場合は、ミスト制御部１３は、それに基づいた制御を行う。これにより、利用者に所望の噴霧量、温度、空気温度でミストを提供できる。
【００８５】
ステップＳ１７：ミスト制御部１３は、ミスト運転の運転時間が設定されている場合は、ミスト運転の開始から設定時間が経過したか否かを判断する。ミスト運転の開始から設定時間が経過している場合（ステップＳ１７においてＹｅｓ）は、ミスト制御部１３は、ミスト運転を終了する。そうでない場合（ステップＳ１７においてＮｏ）は、ミスト制御部１３はミスト運転を継続する。
【００８６】
上記の本実施形態によれば、ミスト運転を開始した直後の初期運転において、ミスト制御部１３は、利用者の存在位置へのミストの噴霧を阻止するように変更可動ルーバ９７のルーバ角度を制御する。よって、配管内等に滞留している加温されていない冷たい滞留水が、浴室Ｙ内の人にかかるのを抑制し、ミストの利用者が感じる不快感を抑制できる。また、細菌等が発生している可能性がある滞留水が利用者にかかるのを抑制できる。
【００８７】
〔他の実施形態〕
（１）上記実施形態では、図１、図４、図５等に示すように、ノズル部２１は、浴槽空間Ｙａと洗い場空間Ｙｂとの間の天井Ｙｃから、洗い場空間Ｙｂに向けて先端が傾斜して突出している。また、変更可動ルーバ９７は、ノズルユニット２よりも洗い場空間Ｙｂ側において、ノズルユニット２に隣接するように設けられている。ただし、ノズルユニット２と変更可動ルーバ９７との配置関係は、これに限定されない。
【００８８】
例えば、ノズルユニット２と変更可動ルーバ９７とは、図１１〜図１３のように配置されてもよい。図１１〜図１３では、ノズルユニット２のノズル部２１は、洗い場空間Ｙｂの天井Ｙｃから、直下の洗い場空間Ｙｂに向けて先端が下方に突出している。また、変更可動ルーバ９７は、ノズルユニット２と同様に洗い場空間Ｙｂに配置されており、かつノズルユニット２よりもさらに浴槽空間Ｙａから離れる側において、ノズルユニット２に隣接するように設けられている。
【００８９】
前述のような配置において、図１１に示すように、変更可動ルーバ９７が、ノズル部２１から噴霧されている滞留水の噴霧範囲φｂ１を遮らない方向に傾斜していると、洗い場空間Ｙｂにおいて噴霧範囲φｂ１内に利用者が存在すると、利用者に滞留水がかかる。
そこで、ミスト制御部１３は、図１２に示すように、人検出部１０１が取得した浴室Ｙ内における利用者の存在位置に基づいて、変更可動ルーバ９７を回動する。具体的には、ミスト制御部１３は、滞留水のノズル部２１からの噴霧範囲φｂ１（図１１参照）の少なくとも一部を遮る方向に変更可動ルーバ９７を傾斜させる。これにより、滞留水の噴霧範囲がφｂ２（＜φｂ１）に小さくなり、洗い場空間Ｙｂに存在する利用者に滞留水がかかるのを抑制できる。
さらに、ミスト制御部１３は、図１３に示すように、人検出部１０１が取得した浴室Ｙ内における利用者の存在位置に基づいて、変更可動ルーバ９７を回動するとともに、循環ファン９４を駆動する。これにより、滞留水の噴霧範囲がφｂ３（＜φｂ１）に小さくなるとともに、滞留水が浴槽空間Ｙａ側に流され、洗い場空間Ｙｂに存在する利用者に滞留水がかかるのを抑制できる。
【００９０】
その他、例えば、ノズルユニット２と変更可動ルーバ９７とは、図１４のように配置されてもよい。図１４では、ノズルユニット２のノズル部２１は、洗い場空間Ｙｂの天井Ｙｃから、直下の洗い場空間Ｙｂに向けて先端が下方に突出している。また、変更可動ルーバ９７は、ノズルユニット２と同様に洗い場空間Ｙｂに配置されており、かつノズルユニット２よりも浴槽空間Ｙａ側において、ノズルユニット２に隣接するように設けられている。
【００９１】
前述のような配置において、変更可動ルーバ９７をノズルユニット２の少なくとも一部を遮る方向に傾斜させても、滞留水の噴霧範囲φｃ１１内に利用者が存在するため、利用者に滞留水がかかる。
そこで、ミスト制御部１３は、図１４に示すように、人検出部１０１が取得した浴室Ｙ内における利用者の存在位置に基づいて、変更可動ルーバ９７を回動するとともに、循環ファン９４を駆動する。これにより、滞留水の噴霧範囲φｃ１２が利用者の存在位置を超えて洗い場空間Ｙｂの背面側に流され、洗い場空間Ｙｂに存在する利用者に滞留水がかかるのを抑制できる。
【００９２】
その他、例えば、ノズルユニット２と変更可動ルーバ９７とは、図１５のように配置されてもよい。図１５では、ノズルユニット２のノズル部２１は、洗い場空間Ｙｂの天井Ｙｃから、直下の洗い場空間Ｙｂに向けて先端が下方に突出している。また、変更可動ルーバ９７は、浴槽空間Ｙａ側に配置されてノズルユニット２に隣接するように設けられている。
【００９３】
図１５の配置では、前述の図１４の配置よりもノズルユニット２及び変更可動ルーバ９７が浴槽空間Ｙａ側に配置されている。
前述のような配置において、変更可動ルーバ９７をノズルユニット２の少なくとも一部を遮る方向に傾斜させても、滞留水の噴霧範囲φｃ２１内に利用者が存在するため、利用者に滞留水がかかる。
そこで、ミスト制御部１３は、図１５に示すように、人検出部１０１が取得した浴室Ｙ内における利用者の存在位置に基づいて、変更可動ルーバ９７を回動するとともに、循環ファン９４を駆動する。このとき、ミスト制御部１３は、循環ファン９４からの風の風量を、図１４の場合の風量よりも大きくする。これにより、滞留水の噴霧範囲φｃ２２が利用者の存在位置を超えて洗い場空間Ｙｂの背面側に流され、洗い場空間Ｙｂに存在する利用者に滞留水がかかるのを抑制できる。
【００９４】
（２）上記実施形態では、ミスト制御部１３は、初期運転において、記憶部１４に記憶された図９に例示するテーブルを参照して変更可動ルーバ９７を制御し、滞留水の噴霧制御を行う。しかし、記憶部１４は、滞留水の噴霧制御を行うための、利用者の存在位置と変更可動ルーバ９７のルーバ角度との関係が定義された数式等を記憶していてもよい。ミスト制御部１３は、初期運転において取得された利用者の浴室Ｙ内での存在位置と、前記数式等に基づいて、変更可動ルーバ９７を制御してもよい。
【００９５】
（３）上記実施形態では、給湯直結方式のミスト装置１００を例に挙げて説明したが、ミスト装置１００を温水循環方式に適用することも可能である。温水循環方式は、ミスト装置内の熱交換器で熱源機から送られる熱媒としての高温用暖房温水（例えば８０℃）と給水との間で熱交換を行って装置内で給水を加熱し、それにより得られる温水をノズル部２１からミスト状に噴霧するミスト運転を行う方式である。つまり、熱源機１が加熱する熱媒とノズル部２１に供給する温水とは別であり、ノズル部２１には少量の温水しか供給しない状態で熱源機１を動作させることもできる。
【００９６】
（４）上記の実施形態では、循環部７０が、ミスト運転及び給湯運転のための温水を生成する熱源機１によって加熱供給される温水により内気を加温する例を示したが、循環部７０は、熱源機１とは異なる他の熱源機を用いて内気を加温してもよい。
【００９７】
（５）上記の実施形態では、浴室Ｙの天井裏に設置する「天井設置型」のミスト部９０を有するミスト装置１００を例示し、ノズルユニット２が浴室Ｙの天井Ｙｃから浴室Ｙ内に向けて設けられる例を示した。
しかし、浴室Ｙの壁に設置する「壁掛け型」のミスト部を有するミスト装置であって、ノズルユニット２が浴室Ｙの壁から浴室Ｙ内に向けて設けられてもよい。
【００９８】
（６）上記の実施形態では、浴室Ｙの側から見た場合、ノズル部２１を同一の間隔で、直線状に１列に１３個配列し、これを平行に２列に並べた場合を例示した。
しかし、ノズル部２１は、同一の間隔で配列する場合に限られない。ノズル部２１は、不均一な間隔で配置してもよい。また、所定の複数の間隔の組み合わせで配列してもよい。
また、ノズル部２１を直線状に配列する場合に限られない。ノズル部２１を曲線状に配列する場合もある。
また、ノズル部２１を直線状や曲線状に配列した場合に、１列や２列、もしくは３列以上並べる場合もある。
【００９９】
（７）ノズル部２１は、夫々方向の調節ができるように構成することも可能である。この場合には、噴出されたミスト用水が利用者に良く当たるノズル部２１に供給するミスト用水の流量を少なくし、噴出されたミスト用水が利用者に当たらないノズル部２１に供給するミスト用水の流量を多くしても良い。これにより、ミスト浴を楽しむ利用者の体感性を向上することができる。
【０１００】
（８）上述した実施形態では、ミスト装置１００を浴室Ｙで利用する場合の例を挙げて説明したが、例えばサウナ室やその他の空間で利用することも可能である。
【０１０１】
（９）上述した実施形態では、変更可動ルーバ９７は、ノズルユニット２側に回動された場合に、ノズルユニット２のノズル部２１のノズル口の少なくとも一部を覆うことが可能な大きさに構成されている。しかし、図５等に示すように送風路９３から空気が吹き出される場合には、変更可動ルーバ９７は、ノズルユニット２のノズル部２１のノズル口を覆うほど大きく形成されていなくてもよい。この場合であっても、送風路９３からの空気の吹き出しによって、滞留水が利用者にからない方向に滞留水の噴霧方向を調整可能である。
【０１０２】
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１０３】
１        ：熱源機（加熱部）
１３      ：ミスト制御部
１５      ：報知部
１９      ：受付部
２１      ：ノズル部
６６      ：浴槽
８３      ：温度センサ
８８      ：温度センサ（温度測定部）
９４      ：循環ファン（送風ファン）
９７      ：変更可動ルーバ（風向変更部）
１００    ：ミスト装置
１０１    ：人検出部
Ｙ        ：浴室
【図１】
2019152399.tif 000003
【図２】
2019152399.tif 000004
【図３】
2019152399.tif 000005
【図４】
2019152399.tif 000006
【図５】
2019152399.tif 000007
【図６】
2019152399.tif 000008
【図７】
2019152399.tif 000009
【図８】
2019152399.tif 000010
【図９】
2019152399.tif 000011
【図１０】
2019152399.tif 000012
【図１１】
2019152399.tif 000013
【図１２】
2019152399.tif 000014
【図１３】
2019152399.tif 000015
【図１４】
2019152399.tif 000016
【図１５】
2019152399.tif 000017